(57)【要約】【課題】水分バリア性及びガラス層との密着性に優れていると共に、形成されるガラス層表面のはじき等の表面欠陥の発生を有効に抑制可能なフレキシブルデバイス用基板用基材を提供することである。【解決手段】金属基材の少なくとも一方の表面にニッケルめっき層が形成されて成るニッケルめっき金属基材又はニッケル系基材から成るフレキシブルデバイス用基板用基材であって、  前記ニッケルめっき層表面又はニッケル系基材表面には、凹凸を有する酸化物膜が形成されていることを特徴とする。【選択図】図１
2017179597.tif 000002
【特許請求の範囲】
【請求項１】
金属基材の少なくとも一方の表面にニッケルめっき層が形成されて成るニッケルめっき金属基材又はニッケル系基材から成るフレキシブルデバイス用基板用基材であって、
前記ニッケルめっき層表面又はニッケル系基材表面には、凹凸を有する酸化物膜が形成されていることを特徴とするフレキシブルデバイス用基板用基材。
【請求項２】
前記酸化物膜の算術平均粗さ（Ｒａ）が、３０〜１００ｎｍの範囲にある請求項１記載のフレキシブルデバイス用基板用基材。
【請求項３】
前記酸化物膜の表面の最大高さ粗さ（Ｒｚ）が、４２０〜９００ｎｍの範囲にある請求項１又は２記載のフレキシブルデバイス用基板用基材。
【請求項４】
前記酸化物膜の厚みが、４０〜１２００ｎｍの範囲にある請求項１〜３の何れかに記載のフレキシブルデバイス用基板用基材。
【請求項５】
前記酸化物膜の厚みが、５００〜１０００ｎｍの範囲にある請求項１〜４の何れかに記載のフレキシブルデバイス用基板用基材。
【請求項６】
前記ニッケルめっき層の表層又はニッケル系基材表層に、鉄が存在する請求項１〜５の何れかに記載のフレキシブルデバイス用基板用基材。
【請求項７】
前記ニッケルめっき層の表層又はニッケル系基材表層に存在する鉄のうち、金属鉄が３ａｔｏｍｉｃ％以下である請求項６記載のフレキシルブルデバイス用基板用基材。
【請求項８】
前記ニッケルめっき層表層又はニッケル系基材表層における酸素の割合が３０ａｔｏｍｉｃ％以上である請求項１〜７記載のフレキシブルデバイス用基板用基材。
【請求項９】
前記ニッケルめっき層表層又はニッケル系基材表層に存在するニッケルのうち、金属ニッケルの割合が２０ａｔｏｍｉｃ％以下である請求項１〜８の何れかに記載のフレキシブルデバイス用基板用基材。
【請求項１０】
金属基材の少なくとも一方の表面にニッケルめっき層が形成されて成るニッケルめっき金属基材又はニッケル系基材を酸素含有雰囲気中で焼成することにより、ニッケルめっき層表面又はニッケル系基材表面に酸化物膜を形成することを特徴とするフレキシブルデバイス用基板用基材の製造方法。
【発明の詳細な説明】
【技術分野】
【０００１】
本発明は、フレキシブルデバイス用基板用基材及びその製造方法に関するものであり、より詳細には、ガラス層との密着性に優れていると共に、形成されるガラス層の表面欠陥を低減可能なフレキシブルデバイス用基板用基材及びその製造方法に関する。
【背景技術】
【０００２】
有機ＥＬ照明や有機ＥＬディスプレイ、有機太陽電池などに用いられるフレキシブルデバイス用基板は、水分バリア性及び蒸気バリア性等のバリア性の他、平滑性及び絶縁性が要求されている。
下記特許文献１には、プラスチックフィルム基材上に、透明導電層、有機発光媒体層、陰極層を順次積層し、接着層を介して金属箔が積層された有機ＥＬ素子の構造が提案されているが、かかるプラスチックフィルム基材は水分バリア性の点で満足するものではない。
また下記特許文献２には、ステンレス基材上にポリイミド樹脂から成る平坦化層を設けたフレキシブルデバイス用基板が提案されているが、ポリイミド樹脂の吸水性が高いことから、やはり水分バリア性の点で満足するものではない。
更に下記特許文献３には、ステンレス基材上にシリカ系ガラスを製膜したフレキシブル太陽電池基板が提案されているが、シリカ系ガラスは一般にステンレスに比べて熱膨張係数が小さく、ステンレス基材に対する密着性に欠けると共に、シリカ系ガラスは曲げ加工や衝撃に弱いという問題を有している。
また薄膜電気回路やフレキシブルディスプレイの基板として利用可能なガラス基板も種々提案されているが（特許文献４等）、ガラス基板はひねりなどの曲げに弱いという特徴があり、フレキシブルデバイス用基板としてより強度の高いものが望まれている。
【０００３】
このような問題を解決するために、本発明者等は、金属基材の表面にニッケルめっき層を形成し、そのニッケルめっき層の表面に、電気絶縁性を有するビスマス系ガラスを積層して成るフレキシブルデバイス用金属基板を提案した（特許文献５）。
【先行技術文献】
【特許文献】
【０００４】
【特許文献１】特開２００４−１７１８０６号公報
【特許文献２】特開２０１１−９７００７号公報
【特許文献３】特開２００６−８０３７０号公報
【特許文献４】特開２０１２−１９７１８５号公報
【特許文献５】特開２０１４−１０７０５３号公報
【発明の概要】
【発明が解決しようとする課題】
【０００５】
上記フレキシブルデバイス用金属基板は、機械的強度に優れた金属基材上に、水分バリア性及び金属基材との密着性に優れたビスマス系ガラスを積層していることから、曲げ耐性に優れていると共に、絶縁性及び平坦性にも優れ、軽量でフレキシブル性を有しているが、焼成後のガラス層表面に、微小凹部であるはじきが発生する場合があり、このような微小欠陥によりガラス層の平滑性が損なわれる場合があった。
本発明者等は、ガラス層表面に形成されるはじきについてその発生原因を研究した結果、ガラス層表面に形成されるはじきは、気泡による破裂痕、樹脂の分解物、或いはガラス溶融時のアウトガスが原因であり、或いは表面張力の影響によるものが原因であることが分かった。
【０００６】
従って本発明の目的は、ガラス層の密着性に優れていると共に、形成されるガラス層表面のはじき等の表面欠陥の発生を有効に抑制可能なフレキシブルデバイス用基板用基材及びその製造方法を提供することである。
【課題を解決するための手段】
【０００７】
本発明によれば、金属基材の少なくとも一方の表面にニッケルめっき層が形成されて成るニッケルめっき金属基材又はニッケル系基材から成るフレキシブルデバイス用基板用基材であって、前記ニッケルめっき層表面又はニッケル系基材表面には、表面に凹凸を有する酸化物膜が形成されていることを特徴とするフレキシブルデバイス用基板用基材が提供される。
本発明のフレキシブルデバイス用基板用基材においては、
１．前記酸化物膜の算術平均粗さ（Ｒａ）が、３０〜１００ｎｍの範囲にあること、
２．前記酸化物膜の表面の最大高さ粗さ（Ｒｚ）が、４２０〜９００ｎｍの範囲にあること、
３．前記酸化物膜の厚みが、４０〜１２００ｎｍの範囲にあること、
４．前記酸化物膜の厚みが、５００〜１０００ｎｍの範囲にあること、
５．前記ニッケルめっき層表層又はニッケル系基材表層に、鉄が存在すること、
６．前記ニッケルめっき層表層又はニッケル系基材表層に存在する鉄のうち、金属鉄が３ａｔｏｍｉｃ％以下であること、
７．前記ニッケルめっき層表層又はニッケル系基材表層における酸素の割合が３０ａｔｏｍｉｃ％以上であること、
８．前記ニッケルめっき層表層又はニッケル系基材表層に存在するニッケルのうち、金属ニッケルの割合が２０ａｔｏｍｉｃ％以下であること、
が好適である。
【０００８】
本発明によればまた、金属基材の少なくとも一方の表面にニッケルめっき層が形成されて成るニッケルめっき金属基材又はニッケル系基材を酸素含有雰囲気中で焼成（以下、「仮焼」ということがある。）することにより、ニッケルめっき層表面又はニッケル系基材表面に酸化物膜を形成することを特徴とするフレキシブルデバイス用基板用基材の製造方法が提供される。
【発明の効果】
【０００９】
本発明のフレキシブルデバイス用基板用基材においては、ニッケルめっき金属基材のニッケルめっき層表面又はニッケル系基材表面に、表面に凹凸を有する酸化物膜が形成されていることにより、ニッケルめっき層表面又はニッケル系基材表面に絶縁層として形成されるガラス層との密着性が顕著に向上し、フレキシブルデバイス用基板に用いた場合、ロールツーロールの工程に供した場合でもガラス層の剥離などが起こらない、十分なフレキシブル性を発現可能である。
また、酸化物膜表面に凹凸が形成されていることにより、ガラス層形成時のガラスの引き拡がりを抑制できることから、ガラス層の表面のはじきの発生を有効に抑制することができる。
更に本発明のフレキシブルデバイス用基板用基材の製造方法によれば、ニッケルめっき金属基材又はニッケル系基材を酸素含有雰囲気中で仮焼することにより、ニッケルめっき層表面又はニッケル系基材表面に上記機能を有する酸化物膜を形成することが可能であり、その結果、表面欠陥のないガラス層を形成可能な、表面に凹凸を有する酸化物膜を容易且つ連続的に製造することができ、生産性及び経済性にも優れている。
【図面の簡単な説明】
【００１０】
【図１】本発明のフレキシブルデバイス用基板用基材の一例の断面構造を説明するための図である。
【図２】表１におけるニッケルめっき鋼板の基材Ｎｏ．１，２，６，１０について仮焼後のニッケルめっき層表面のＳＥＭ写真（（Ａ）〜（Ｄ））及び基材Ｎｏ．４のニッケルめっき層表面のＳＥＭ写真（Ｅ）である。
【発明を実施するための形態】
【００１１】
本発明のフレキシブルデバイス用基板用基材は、金属基材の少なくとも一方の表面にニッケルめっき層が形成されて成るニッケルめっき金属基材又はニッケル系基材であって、
前記ニッケルめっき層表面又はニッケル系基材表面には、表面に凹凸を有する酸化物膜が形成されていることが重要な特徴である。
図１は、金属基材１０の表面にニッケルめっき層１１が形成されたニッケルめっき金属基材を用いた、本発明のフレキシブルデバイス用基板用基材の断面構造を示す図であり、ニッケルめっき層１１の表面に、酸化物膜１２が形成されており、この酸化物膜１２の表面が凹凸１２ａに形成されている。
【００１２】
［金属基材］
本発明のフレキシブルデバイス用基板用基材に用いられる、ニッケルめっき層を形成する金属基材としては、これに限定されないが、鉄、ステンレス、チタン、アルミニウム、銅等を使用することができ、熱膨張係数が８×１０−６〜２５×１０−６／℃、特に１０×１０−６〜２０×１０−６／℃の範囲にあるものを使用することが好ましい。
また本発明においては、ニッケルめっき層を形成することなく、金属基材自体をニッケル系基材、すなわち、純ニッケル板又はニッケル合金板とすることもできる。ニッケル合金板において、ニッケルと合金可能な金属としては、鉄（Ｆｅ）、銅（Ｃｕ）、クロム（Ｃｒ）を用いることができる。
金属基材又はニッケル系基材の厚みは、１０〜２００μｍ、特に２０〜１００μｍの範囲にあることが好適であり、これにより十分なフレキシブル性を得ることができる。
【００１３】
［ニッケルめっき層］
本発明のフレキシブルデバイス用基板用基材において、金属基材表面に形成されるニッケルめっき層は、ニッケルめっきによって形成される層であり、後述するように電解めっき又は無電解めっきの何れであってもよい。ニッケルめっき層は、図１に示した例では、金属基材の一方の表面にのみ形成されていたが、もちろん金属基材の両面に形成されていてもよい。
ニッケルめっき層の厚みは、上記酸化物膜を含んだ値で０．１〜１０μｍ、特に０．５〜５μｍの範囲にあることが好適であり、上記範囲よりもニッケルめっき層の厚みが薄いと、上記範囲にある場合に比してガラス層の密着性が劣るようになり、一方、上記範囲よりもニッケルめっき層の厚みが厚くても更なる効果は期待できず、経済性に劣るようになる。
ニッケルめっき層は、金属基材との界面に合金層を有していてもよい。
【００１４】
［酸化物膜］
前述したとおり、本発明においては、ニッケルめっき層又はニッケル系基材の表面に、表面が凹凸の酸化物膜が形成されていることが重要な特徴であり、この酸化物とガラスとが反応することにより密着層が形成され、ガラス層の密着性が向上される。従って、ニッケルめっき層又はニッケル系基材の表面に存在する金属ニッケルは２０ａｔｏｍｉｃ％以下、特に１８ａｔｏｍｉｃ％以下であることが好ましい。
酸化物膜は、ニッケルめっき層又はニッケル系基材の表面が後述する酸素含有雰囲気中で仮焼されることにより形成されるニッケル酸化物から少なくとも成るが、ニッケル酸化物と金属基材から拡散した金属の酸化物から成っていてもよい。
すなわち、金属素材として鋼板を用いた場合や、ニッケル系基材としてニッケル−鉄合金板を用いた場合には、ニッケルめっき層又はニッケル系基材の表面に鉄が存在することが望ましく、この表面に存在する鉄は酸化物として存在することにより、上記ニッケル酸化物と相俟ってガラス層の密着性をさらに向上できることから、ニッケルめっき層表層又はニッケル系基材表層に存在する鉄のうち金属鉄は３ａｔｏｍｉｃ％以下であることが好ましい。
【００１５】
またニッケルめっき層表層又はニッケル系基材表層における酸素の割合が、３０ａｔｏｍｉｃ％以上、特に３５〜５０ａｔｏｍｉｃ％の範囲にあることが好適であり、これによりガラス層との密着性に優れた酸化物膜が形成される。
【００１６】
本発明において酸化物膜の表面には結晶粒と思われる凸部が形成されることにより凹凸（粗面）が形成されており、これによりガラス層の形成に際してガラス組成物の引き拡がりが抑制されて、はじきの発生が有効に抑制される。
酸化物膜表面における凹凸（表面粗度）は、算術平均粗さ（Ｒａ）が３０〜１００ｎｍ、特に５０〜９０ｎｍの範囲にあり、最大高さ粗さ（Ｒｚ）が４２０〜９００ｎｍ、特に６００〜８５０ｎｍの範囲にあるように形成されていることが望ましい。
またこの酸化物膜の厚みは、４０〜１２００ｎｍ、好ましくは５００〜１０００ｎｍ、より好ましくは５００〜９００ｎｍの範囲にあることが望ましい。上記範囲よりも酸化物膜の厚みが薄い場合には、上記範囲にある場合に比してニッケルめっき層又はニッケル系基材の表面改質が不十分になるおそれがあり、一方上記範囲よりも酸化物膜の厚みが厚い場合には、上記範囲にある場合に比してニッケルめっき層表層又はニッケル系基材表層の合金化が進みニッケルめっき層表層又はニッケル系基材表層が脆弱化されるおそれがあり、ニッケルめっき層表層又はニッケル系基材表層が剥離するおそれがある。
【００１７】
（フレキシブルデバイス用基板用基材の製造方法）
本発明のフレキシブルデバイス用基板用基材は、金属基材の少なくとも一方の表面にニッケルめっき層が形成されて成るニッケルめっき金属基材又はニッケル系基材を酸素含有雰囲気中で焼成することにより、ニッケルめっき層表面又はニッケル系基材表面に酸化物膜を形成する酸化物膜形成工程、を含む製造方法により製造することができる。
【００１８】
［ニッケルめっき層形成工程］
本発明のフレキシブルデバイス用金属基板において、ニッケルめっき金属基材におけるニッケルめっき層の形成方法自体は従来公知の方法により行うことができる。
ニッケルめっき層形成工程においては、用いる金属基材によって処理方法が異なるが、金属基材として鋼板を使用する場合には、めっき処理に先立って、アルカリ電解等により脱脂を行い、水洗した後、硫酸浸漬等による酸洗等の従来公知の前処理を施す。
前処理が施された金属基材を、前述したとおり、電解めっき、無電解めっき等従来公知のめっき方法によってニッケルめっき層を形成することができる。連続生産性の観点から電解めっきによることが好ましい。ニッケルめっき浴は、ワット浴、スルファミン酸浴等一般に広く使用されている浴を公知の処方に従って、公知の電解条件で使用することができる。尚、ニッケルめっき層は前述したとおり、０．１〜１０μｍ、特に０．５〜５μｍの範囲の厚みとなるように形成されることが好ましい。
【００１９】
［酸化物膜形成工程］
本発明のフレキシブルデバイス用基板用基材の製造方法においては、ニッケルめっき金属基材のニッケルめっき層表面又はニッケル系基材表面を酸素含有雰囲気中で仮焼することにより、ニッケルめっき層表面又はニッケル系基材表面に凹凸を有する酸化物膜を形成することが重要である。
仮焼条件は、前述した酸化物膜が形成される限り、特に限定されないが、仮焼温度が５５０〜９００℃、特に７５０〜８５０℃の温度であることが好ましい。仮焼時間は、酸素含有雰囲気の酸素濃度、仮焼温度によって適宜変更することができるが、大気中で上記温度範囲で仮焼する場合には、上記仮焼温度で、５〜１２０秒間仮焼することが好適である。酸化物膜は、前述したとおり、４０〜１２００ｎｍ、好ましくは５００〜１０００ｎｍ、より好ましくは５００〜９００ｎｍの範囲となるように形成されることが好ましい。
尚、本工程の酸化物膜形成のための焼成により、仮焼条件によっては、ニッケルめっき層或いはニッケル系基材の表面に合金層が形成される場合がある。
【００２０】
（その他）
本発明のフレキシブルデバイス用基板用基材は、前述したとおり、絶縁層としてガラス層を有するフレキシブルデバイス用基板の基材として好適に用いることができる。
本発明のフレキシブルデバイス用基板用基材の表面に凹凸を有する酸化物膜上に形成可能なガラス層としては、従来より有機ＥＬ照明等の絶縁層或いは透明基板として使用されていたものを制限なく使用することができ、これに限定されないが、錫−リン酸系ガラス、ビスマス系ガラス、バナジウム系ガラス、鉛系ガラス等の低融点ガラスを例示することができる。これらの中でも、水分バリア性に優れ、金属基材との密着性に優れたビスマス系ガラスを好適に積層することができる。
ビスマス系ガラスとしては、軟化点温度が３００〜５００℃の電気絶縁性を有するビスマス系ガラスが好適であり、特にガラス組成としてＢｉ２Ｏ３を主成分（特に７０重量％以上）含有するものが好ましい。
【００２１】
本発明のフレキシブルデバイス用基板用基材を用いてフレキシブルデバイス用基板を形成する場合、ガラス層は平均粒径２０μｍ以下、好適には１〜１０μｍのガラスフリットを用いて、焼成することにより形成される。ガラス層のガラス形成の焼成温度および焼成時間としては、ビスマス系ガラスを用いた場合には、４３０℃以上９００℃未満で、１０秒〜３０分の条件で行われる。
本発明のフレキシブルデバイス用基板用基材上に形成されたガラス層は、表面粗度（Ｒａ）が１０ｎｍ以下と平滑であり、はじきという表面欠陥もない。
【実施例】
【００２２】
（基材Ｎｏ．１〜１１、１５）
１．ニッケルめっき鋼板
［金属基材］
金属基材として、下記に示す化学組成を有する普通鋼の冷間圧延板（厚さ５０μｍ）を焼鈍脱脂して得られた鋼板を準備した。
組成：Ｃ；０．０３重量％、Ｓｉ；０．０１重量％、Ｍｎ；０．２５重量％、Ｐ；０．００８重量％、Ｓ；０．００５重量％、Ａｌ；０．０５１重量％、残部；Ｆｅおよび不可避的に含有する成分を含む。
［ニッケルめっき層の形成］
次いで、準備した鋼板（サイズ：縦１２ｃｍ、横１０ｃｍ、厚み５０μｍ）について、アルカリ電解脱脂、硫酸浸漬の酸洗を行った後、下記条件にてニッケルめっきを行い、厚さ１μｍ、表面粗度（Ｒａ）３０．１ｎｍのニッケルめっき層を両面に形成した。
浴組成：硫酸ニッケル３００ｇ／Ｌ、塩化ニッケル４０ｇ／Ｌ、ほう酸３５ｇ／Ｌ、ピット抑制剤（ラウリル硫酸ナトリウム）０．４ｍＬ／Ｌ
ｐＨ：４〜４．６
浴温：５５℃〜６０℃
電流密度：２５Ａ／ｄｍ２
【００２３】
２．純ニッケル板
ニッケル系基材として、厚さ１００μｍの純ニッケル板を準備した。
【００２４】
３．酸化物膜の形成
上記ニッケルめっき鋼板及び純ニッケル板を用いて、表１に示す条件で、基材Ｎｏ．１〜３，５〜７，１５のニッケルめっき鋼板、及び基材Ｎｏ．１３，１４の純ニッケル板を薄鋼板熱処理シュミレーター（真空理工株式会社製、品番；ＣＣＴ−ＡＶ）を用いて仮焼した。基材Ｎｏ．４，１２は比較のため仮焼を行わなかった。また基材Ｎｏ．８〜１１についてはＮＨ雰囲気下で仮焼した。
仮焼されたニッケルめっき鋼板、基材Ｎｏ．４のニッケルめっき鋼板、仮焼された純ニッケル板及び基材Ｎｏ．１２の純ニッケル板について、表面粗度として算術平均粗さ（Ｒａ）及び最大高さ粗さ（Ｒｚ）、表面酸化物の厚みについて調べた。結果を表１にあわせて示す。
また、基材Ｎｏ．１，２，６，１０について仮焼後のニッケルめっき層表面のＳＥＭ写真、及び基材Ｎｏ．４のニッケルめっき層表面のＳＥＭ写真を図２に示す。
尚、表１の酸化物膜の厚み、表面粗度（Ｒａ，Ｒｚ）については、以下の方法により測定した。
算術平均粗さ（Ｒａ）及び最大高さ粗さ（Ｒｚ）：ＪＩＳ  Ｂ  ０６０１に準拠して、顕微鏡（オリンパス社製、ナノサーチ顕微鏡、品番；ＯＬＳ３５００）のＳＰＭ測定モードで測定した。
酸化物膜厚み：フィールドエミッションオージェマイクロプローブ（ＡＥＳ：日本電子社製  品番ＪＡＭＰ−９５００Ｆ）を用いて測定した。
【００２５】
【表１】
2017179597.tif 000003
【００２６】
４．基材表層のＸＰＳによる測定
上記基材Ｎｏ．１，４，６，１０，１１の表層について、炭素，酸素，鉄，ニッケルの割合（合計１００ａｔｏｍｉｃ％）と、金属鉄，鉄酸化物の割合（合計１００ａｔｏｍｉｃ％），及び金属ニッケル、ニッケル酸化物の割合（合計１００ａｔｏｍｉｃ％）とを、スキャニングＸＰＳマイクロプローブ（ＸＰＳ装置  アルバックファイ社製  品番ＰＨＩ５０００ＶｅｒｓａＰｒｏｂｅII）を用いて測定した。結果を表２に示す。
【００２７】
【表２】
2017179597.tif 000004
【００２８】
５．基材表層の鉄の存在の確認
上記試料１、４，６，１２〜１４の表層について、上記ＸＰＳ装置を用いて鉄の存在を確認した。結果を表３に示す。
【００２９】
【表３】
2017179597.tif 000005
【００３０】
６．ガラス層の形成
脱脂工程：基材１〜１５の表面をアルコールに浸したガーゼで拭き取り、脱脂した。
塗膜形成工程：水とバインダとを混合したバインダ液を用意し、バインダ液と、下記組成のビスマス系ガラスフリットとを重量比が５０：５０になるように乳鉢で混合し、セラミック製ロールにて分散処理を行ない、塗膜形成用ガラスペーストを作製した。そして、各基材の表面に塗膜形成用ガラスペーストを焼成後の膜厚が２０μｍになるようにバーコーターで塗布し、塗膜を形成した。
ガラス組成：ガラスフリットとして、Ｂｉ２Ｏ３が７０ｗｔ％以上を主成分として含有するビスマス系ガラスフリットを用いた。
焼成工程：プログラム可能な電気炉を用いて、乾燥（温度：１６０℃、時間：２分）、焼成（温度：７５０℃、時間：１０秒）を行なった。
【００３１】
７．ガラス層評価
ガラス層が形成されたフレキシブルデバイス用基板について、ガラス膜中の気泡の有無、はじきの有無について、下記のように評価した。結果を表４に示す。
はじきの主原因は気泡であるが、気泡起因以外のはじきもあるため、気泡の有無と、全はじき（気泡起因のものを含む）の有無を分けて評価した。
［気泡評価］
気泡評価は、１００×１００ｍｍサイズのフレキシブルデバイス用基板につき、光学顕微鏡にて焦点を各基材表面（各基材とガラス層の界面）からガラス層表面方向に焦点移動していく際に気泡が確認できるか否かで判断した。
［はじき評価］
はじき評価は、同じ１００×１００ｍｍサイズのフレキシブルデバイス用基板につき、目視確認できるはじきの個数を下記の評価基準で評価した。
◎：はじきは皆無
○：はじき個数５個未満
△：はじき個数が５個以上１０個未満
×：はじき個数が１０個以上
［総合評価］
上記気泡評価及びはじき評価から、下記の基準で総合評価を行った。
◎：気泡、はじき共に皆無
○：気泡はあるが、はじき個数が１０個未満
×：気泡があり、はじき個数が１０個以上
【００３２】
【表４】
2017179597.tif 000006
【産業上の利用可能性】
【００３３】
本発明のフレキシブルデバイス用基板用基材においては、ガラス層の密着性に優れていると共に、形成されるガラス層表面のはじき等表面欠陥の発生を有効に抑制可能であることから、特にガラス層を絶縁層とする、有機ＥＬ照明、有機ＥＬディスプレイ、有機薄膜太陽電池等に用いられるフレキシブルデバイス用基板の基板として好適に使用することができる。
また本発明のフレキシブルデバイス用基板用基材は、上記ガラス層が形成される用途に特に好適に使用できるが、これに限定されず、スパッタリングや蒸着による無機膜や、或いはポリイミド樹脂等の樹脂膜を形成することも可能である。
【符号の説明】
【００３４】
１  フレキシブルデバイス用基板用基材、１０  金属基材、１１  ニッケルめっき層、１２  酸化物膜。
【図１】
2017179597.tif 000007
【図２】
2017179597.tif 000008